(57)【要約】【課題】本開示は、交換レンズを装着可能なカメラボディであって、ロックピンとリリース釦の配置を工夫し、小型化を可能にするカメラボディを提供する。【解決手段】カメラボディは、外装部材と、前記外装部材上に第１のバネを介して設けられるロックピンと、前記外装部材上に取り付けられ、前記ロックピンを通過させる貫通孔を有するレンズマウントと、前記外装部材上に第２のバネを介して設けられるリリース釦と、を備える。そして、前記ロックピンは、前記リリース釦が押下されると、前記リリース釦と一緒に前記外装部材側に移動し、前記ロックピンは、突出した部分が押下されると、前記リリース釦と離れて、前記外装部材側に移動する。【選択図】図４
2015079044.tif 000002
【特許請求の範囲】
【請求項１】
外装部材と、
前記外装部材上に第１のバネを介して設けられるロックピンと、
前記外装部材上に取り付けられ、前記ロックピンを通過させる貫通孔を有するレンズマウントと、
前記外装部材上に第２のバネを介して設けられるリリース釦と、
を備え、
前記ロックピンは、前記リリース釦が押下されると、前記リリース釦と一緒に前記外装部材側に移動し、
前記ロックピンは、突出した部分が押下されると、前記リリース釦と離れて、前記外装部材側に移動する、
カメラボディ。
【請求項２】
前記第２のバネは、前記第１のバネより弾性力が強い、
請求項１に記載のカメラボディ。
【発明の詳細な説明】
【技術分野】
【０００１】
本開示は、交換レンズを装着可能なカメラボディに関する。
【背景技術】
【０００２】
特許文献１は、交換レンズを装着可能なカメラボディを開示する。特許文献１のカメラボディには、レンズマウントとロック解除ボタンとレンズロックピンが開示されており、交換レンズであるレンズユニットの装着と取り外しを説明している。
【先行技術文献】
【特許文献】
【０００３】
【特許文献１】国際公開第２０１０／０２９７３１号
【発明の概要】
【発明が解決しようとする課題】
【０００４】
ところで、上述したレンズマウントと、ロック解除ボタン（以下、リリース釦と称する）と、レンズロックピン（以下、ロックピンと称する）と、の構造をより小さくすることは、カメラボディ全体を小型化する上で好ましい。
【０００５】
そこで本開示は、交換レンズを装着可能なカメラボディであって、ロックピンとリリース釦の配置を工夫し、小型化を可能にするカメラボディを提供する。
【課題を解決するための手段】
【０００６】
本開示におけるカメラボディは、外装部材と、前記外装部材上に第１のバネを介して設けられるロックピンと、前記外装部材上に取り付けられ、前記ロックピンを通過させる貫通孔を有するレンズマウントと、前記外装部材上に第２のバネを介して設けられるリリース釦と、を備える。そして、前記ロックピンは、前記リリース釦が押下されると、前記リリース釦と一緒に前記外装部材側に移動し、前記ロックピンは、突出した部分が押下されると、前記リリース釦と離れて、前記外装部材側に移動する。
【発明の効果】
【０００７】
本開示におけるカメラボディは、小型化が可能となる。
【図面の簡単な説明】
【０００８】
【図１】実施の形態１におけるカメラボディの正面図
【図２】図１のＸ−Ｘ断面図
【図３】実施の形態１におけるカメラボディの正面側の一部展開図
【図４】図２の一部拡大図
【図５】図４の斜視図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
（実施の形態１）
以下、図１〜５を用いて、実施の形態１を説明する。
【００１２】
［１−１．カメラボディの全体構成（図１、２）］
図１、図２を用いて、カメラボディの全体構成を説明する。
【００１３】
カメラボディは、フロントケース５００と、レンズマウント１００と、着脱機構４００と、を備える。着脱機構４００には、リリース釦４２０とロックピン４５０を含んでおり、使用者による交換レンズの着脱を可能にしている。
【００１４】
フロントケース５００は、金属で構成される外装部材である。フロントケース５００の背面には撮像ユニット、モニタ等（不図示）が配置される。
【００１５】
レンズマウント１００は、フロントケース５００上にネジ（不図示）で固定される。レンズマウント１００は、金属で構成され、交換レンズ（不図示）が装着可能に構成される。レンズマウント１００の孔１０３には、ロックピン４５０が挿通配置される。ロックピン４５０は、装着される交換レンズの凹部に嵌合される。この結果、交換レンズがカメラボディに位置決めされる。ロックピン４５０の背面側には、ネジリコイルバネ４７０が配置されている。ネジリコイルバネ４７０は、ロックピン４５０を正面側に付勢する。ネジリコイルバネ４７０は後述する。
【００１６】
リリース釦４２０は、フロントケース５００上に配置される。リリース釦４２０は、使用者によってカメラボディの背面側に押圧可能に構成される。リリース釦４２０は、使用者に押圧されると、ロックピン４５０を背面側に移動させる。この結果、ロックピン４５０は、リリース釦４２０の移動に伴って、背面側に移動される。リリース釦４２０の背面側には、ネジリコイルバネ４６０が配置されている。ネジリコイルバネ４６０は、リリース釦４２０を正面側に付勢する。ネジリコイルバネ４６０は後述する。
【００１７】
この結果、使用者は、ロックピン４５０を押下することで、カメラボディに対する交換レンズの取り外しが可能になる。
【００１８】
［１−２．着脱機構４００の具体構成（図３〜５）］
以下、図３〜５を用いて、着脱機構４００の具体構成を説明する。
【００１９】
図３は、カメラボディのフロント側の一部展開図である。図４は、図２のリリース釦４２０及びロックピン４５０付近を拡大した拡大図である。図５は、図４の斜視図である。
【００２０】
フロントケース５００は、金属の外装部材である。フロントケース５００には、図３に示すように、レンズマウント１００、環状保持リング２００、着脱機構４００等が取り付けられる。フロントケース５００には、ネジ孔５０１と円弧リブ５０２と保持リブ５０４が形成されている。ネジ孔５０１には、レンズマウント１００を介してネジ（不図示）が取り付けられる。円弧リブ５０２には、フロントケース５００上に配置された環状保持リング２００の位置を規制する。保持リブ５０４は、着脱機構４００が配置される。
【００２１】
着脱機構４００は、フロントケース５００上に配置される。着脱機構４００は、図３に示すように、化粧部材４１０、リリース釦４２０、接着シール４３０、挿通部４４０、ロックピン４５０、ネジリコイルバネ４６０、ネジリコイルバネ４７０、ベース部材４８０、Ｅリング４９０、を備える。なお、挿通部４４０は、接着シール４３０を介して、リリース釦４２０に接着固定される。
【００２２】
ベース部材４８０は、保持リブ５０４の内側に配置されるベース部材である。ベース部材４８０には、保持リブ５０４の背面側において、嵌合部材（不図示）が取り付けられる。ベース部材４８０には、図４に示すように、円筒部４８２、円筒部４８５が形成される。また、ベース部材４８０には、正面側に突出した２箇所の壁部４８７が形成される。円筒部４８２は、ネジリコイルバネ４６０の端部４６３が外周を覆う位置に配置される。また、円筒部４８２には、リリース釦４２０が接着固定された挿通部４４０（４４２）が挿通される。円筒部４８２は、挿通部４４０に接着固定されたリリース釦４２０の傾きを規制する。円筒部４８５は、ネジリコイルバネ４７０の端部が外周を覆う位置に配置される。また、円筒部４８５は、ロックピン４５０の挿通部４５５が挿通される。円筒部４８５は、ロックピン４５０の傾きを規制する。壁部４８７は、ロックピンを挟む位置に配置される。壁部４８７は、ロックピン４５０の回転を規制する。
【００２３】
ネジリコイルバネ４６０は、挿通部４４０に接着固定されたリリース釦４２０を正面側に付勢する部材である。ネジリコイルバネ４６０は、中心を挿通部４４０が通過する。ネジリコイルバネ４６０は、端部４６２の直径が端部４６３の直径よりも長くなっている。これは、使用者がリリース釦４２０を操作する際に、リリース釦４２０がガタツクのを軽減するためである。リリース釦４２０は、使用者によって操作されるものであるため、必ずしもリリース釦４２０の正面側の中心が操作されるとは限らないためである。ネジリコイルバネ４６０は、ネジリコイルバネ４７０よりも弾性力が強くなるように構成されている。これは、リリース釦４２０に対する誤操作で、誤ってロックピン４５０が交換レンズの凹部から外れてしまうのを防ぐためである。リリース釦４２０は、使用者によって操作可能な位置に配置されるため、誤操作の原因となる可能性がある。
【００２４】
リリース釦４２０は、接着シール４３０により挿通部４４０に接着固定される。挿通部４４０は、ベース部材４８０の円筒部４８２に挿通される。そして挿通部４４０は、Ｅリング４９０が取り付けられる。このため、リリース釦４２０は、ネジリコイルバネ４６０によって正面側に付勢力が与えられた状態で保持される。また、リリース釦４２０は、Ｅリング４９０によって正面方向の移動が規制されるが、背面側に所定範囲で移動可能である。
【００２５】
リリース釦４２０は、樹脂金属メッキ材料で構成され、使用者に操作可能な部材である。リリース釦４２０には、ツバ部４２１が形成されている。ツバ部４２１は、化粧部材４１０を介して、環状保持リング２００により、正面方向の移動が規制される。また、ツバ部４２１は、ロックピン４５０と接触可能な位置に配置される。
【００２６】
また、リリース釦４２０は、保持リブ５０４の内側に配置される。リリース釦４２０は、保持リブ５０４により、傾きが規制される。
【００２７】
ネジリコイルバネ４７０は、ロックピン４５０をフロントケース５００の正面側に付勢する部材である。ネジリコイルバネ４７０は、中心を挿通部４５５が通過する。
【００２８】
ロックピン４５０は、金属材料で構成され、交換レンズの凹部に嵌合可能な部材である。ロックピン４５０の挿通部４５５は、ネジリコイルバネ４７０を通過し、円筒部４８５に挿通される。ロックピン４５０のツバ部４５１は、平面部と円弧部で構成される。ツバ部４５１の平面部は、ツバ部４２１と接触可能な位置に配置される。ツバ部４５１の平面部は、ツバ部４２１よりも背面側に配置される。このためリリース釦４２０が押下されると、ロックピン４５０は背面側に押下される。一方で、ロックピン４５０の突出部４５３が押下されると、リリース釦４２０とは離れて、ロックピン４５０は背面側に押下される。なお、ロックピン４５０の突出部４５３はレンズマウント１００の孔１０３に挿通される。
【００２９】
ツバ部４５１の平面部は、ツバ部４２１と接触する。そのため、ツバ部４２１で発生した静電気を、ロックピン４５０を介して、レンズマウント１００に逃がすことが可能になる。また、正面方向の移動が規制される。
【００３０】
ツバ部４５１の円弧部は、挿通部４４０の外側に配置される。このため、ロックピン４５０の回転規制が実現される。
【００３１】
ロックピン４５０は、更に規制部４５４が形成されている。規制部４５４は、レンズマウント１００の背面によって移動が規制される。
【００３２】
上記のように構成することで、ロックピン４５０は、ネジリコイルバネ４７０によって正面方向に付勢され、保持されることになる。
【００３３】
環状保持リング２００は、円弧リブ５０２によって位置決めされ、フロントケース５００上に配置される。環状保持リング２００は、化粧部材４１０を介して、リリース釦４２０の正面方向の移動を規制する。
【００３４】
レンズマウント１００は、金属材料で構成され、交換レンズが装着可能な部材である。レンズマウント１００は、ネジ（不図示）でフロントケース５００上に取り付けられる。レンズマウント１００は、孔１０３が形成されている。孔１０３には、ロックピン４５０の突出部４５３が挿通される。
【００３５】
［１−３．効果等］
以上のように、本実施の形態において、リリース釦４２０は、フロントケース５００上にネジリコイルバネ４６０を介して配置され、かつ、ロックピン４５０は、フロントケース５００上にネジリコイルバネ４７０を介して配置された。そして、ロックピン４５０は、リリース釦４２０が押下されると、ロックピン４５０と一緒にフロントケース５００側に移動し、かつ、リリース釦４２０は、突出した部分が押下されると、ロックピン４５０と離れてフロントケース５００側に移動するようにした。
【００３６】
このように構成したので、ロックピン４５０が誤操作され、交換レンズがカメラボディから間違って外されてしまうといったことを軽減できる。
【００３７】
また、ネジリコイルバネ４６０は、ネジリコイルバネ４７０よりも弾性力を強くした。
【００３８】
このように構成したので、ロックピン４５０が誤操作され、交換レンズがカメラボディから間違って外されてしまうといったことをより軽減できる。
【００３９】
また、リリース釦４２０は、樹脂金属メッキ部材で構成され、ツバ部４２１で金属のロックピン４５０に接触可能に構成した。
【００４０】
このように構成したので、静電気対策をより万全にできる。
【００４１】
また、ネジリコイルバネ４６０は、正面側の端部４６２の直径を、背面側の端部４６３の直径よりも長くした。
【００４２】
このように構成したので、リリース釦４２０の操作時のガタツキを軽減できる。
【００４３】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００４４】
以上のように、本開示における技術の例示として、実施の形態を説明した。そのために、添付図面および詳細な説明を提供した。
【００４５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４６】
また、上述の実施の形態は、本開示における技術を例示するためのものであるから、特許請求の範囲またはその均等の範囲において種々の変更、置き換え、付加、省略などを行うことができる。
【産業上の利用可能性】
【００４７】
本開示は、交換レンズを装着可能なカメラボディに適用可能である。具体的には、ミラーレスカメラ、一眼レフカメラなどに、本開示は適用可能である。
【符号の説明】
【００４８】
１００    レンズマウント
１０３    孔
２００    環状保持リング
４００    着脱機構
４１０    化粧部材
４２０    リリース釦
４２１    ツバ部
４３０    接着シール
４４０    挿通部
４５０    ロックピン
４５１    ツバ部
４５３    突出部
４５４    規制部
４５５    挿通部
４６０    ネジリコイルバネ
４６２    端部
４６３    端部
４８０    ベース部材
４８２    円筒部
４８５    円筒部
４８７    壁部
４９０    Ｅリング
４７０    ネジリコイルバネ
５００    フロントケース
５０１    ネジ孔
５０２    円弧リブ
５０４    保持リブ
【図１】
2015079044.tif 000003
【図２】
2015079044.tif 000004
【図３】
2015079044.tif 000005
【図４】
2015079044.tif 000006
【図５】
2015079044.tif 000007